(57)【要約】【課題】  ストラップに取り付ける携帯品の使用状態に合わせて、ネックストラップとすることもハンドストラップとすることも容易なストラップを提供することにある。【解決手段】  ストラップ１０は、環状かつ紐状のストラップ本体１１に、雄形接合パーツ２０および雌形接合パーツ３０からなる接合パーツと、ストラップ本体１１の一部を束ね長さ調整可能なアジャストパーツ４０とを備えている。【選択図】  図１
0003108501.tif 000002
【実用新案登録請求の範囲】
【請求項１】
首に掛けるネックストラップにも手に掛けるハンドストラップにもなるストラップであって、
環状かつ紐状のストラップ本体に複数取り付けられ、それらを接合することでストラップ本体を短くしハンドストラップにできる接合パーツを備えたストラップ。
【請求項２】
接合パーツは、先端が拡径された凸部を有する雄形接合パーツと、
その拡径された先端を挿脱可能とする大きさの穿孔および挿脱不可能とする大きさの穿孔を連通した凹部を有する雌形接合パーツとで脱着自在に接合する請求項１記載のストラップ。
【請求項３】
接合パーツは、ストラップ本体にスライド可能に取り付けられている請求項１又は２記載のストラップ。
【請求項４】
ストラップ本体の一部を束ねる筒形をし、束ねたストラップ本体の一部を筒外に湾出してストラップ本体の長さを調整できる調整孔を有するアジャストパーツを備えた請求項１から３のいずれかに記載のストラップ。
【請求項５】
アジャストパーツにあって湾出されるストラップ本体に摘みパーツを取り付けた請求項４記載のストラップ。
【請求項６】
接合パーツに携帯品を取り付けるための取付部を備えた請求項１から５のいずれかに記載のストラップ。
【考案の詳細な説明】
【技術分野】
【０００１】
本考案は、首に掛けるネックストラップにも手に掛けるハンドストラップにもなるネック・ハンド兼用ストラップに関するものである。
【背景技術】
【０００２】
携帯電話やデジタルカメラなどを吊り下げるためのストラップには、これまで実に様々なものが製造・販売されている。
その中で、ストラップは大きく２種類のものに分けることができる。一つは、首に掛けて使用されるネックストラップで、もう一つは、手に掛けて使用されるハンドストラップである。
【０００３】
そして、この２種類のネックストラップとハンドストラップを１つのストラップで兼ね備えたものが特許文献１に開示されている吊り下げ具（ストラップ）である。このストラップは、１本のネックストラップ（２）に２箇所係止具（１，３）を備えることで、その一部をネックストラップ（２）から取り外して、ハンドストラップとして使用することができるものである。
【特許文献１】特開２００２−５１８２４号公報
【考案の開示】
【考案が解決しようとする課題】
【０００４】
しかし、特許文献１に開示された上記ストラップでは、ネックストラップからハンドストラップを取り出すことが面倒であり、ネックストラップを首に掛けたまま、ハンドストラップを取り外すことは難しい。
一方、ストラップに吊り下げることの多い携帯電話やデジタルカメラなどは、その使用時にハンドストラップを手に掛けて使用し、不使用時にはネックストラップに吊り下げたままにしていることが多い。
【０００５】
そこで、本考案は、ストラップに取り付ける携帯品の使用状態に合わせて、ネックストラップとすることもハンドストラップとすることも容易なストラップを提供することを目的とし、さらにそれにストラップの長さ調整機能を兼ね備えたストラップを提供すること目的する。
【課題を解決するための手段】
【０００６】
上記目的を達成するために、第一の考案は、首に掛けるネックストラップにも手に掛けるハンドストラップにもなるストラップであって、環状かつ紐状のストラップ本体に複数取り付けられ、それらを接合することでストラップ本体を短くしハンドストラップにできる接合パーツを備えたことを特徴とするものである。
第二の考案は、接合パーツが、先端が拡径された凸部を有する雄形接合パーツと、その拡径された先端を挿脱可能とする大きさの穿孔および挿脱不可能とする大きさの穿孔を連通した凹部を有する雌形接合パーツとで脱着自在に接合することを特徴とするものである。
第三の考案は、接合パーツが、ストラップ本体にスライド可能に取り付けられていることを特徴とするものである。
第四の考案は、ストラップ本体の一部を束ねる筒形をし、束ねたストラップ本体の一部を筒外に湾出してストラップ本体の長さを調整できる調整孔を有するアジャストパーツを備えたことを特徴とするものである。
第五の考案は、アジャストパーツにあって湾出されるストラップ本体に摘みパーツを取り付けたことを特徴とするものである。
第六の考案は、接合パーツに携帯品を取り付けるための取付部を備えたことを特徴とするものである。
【考案の効果】
【０００７】
本考案によれば、以下のような効果を有する。
（１）本考案のストラップは、環状かつ紐状のストラップ本体に複数取り付けられ、それらを接合することでストラップ本体を短くしハンドストラップにできる接合パーツを備えたことで、その接合パーツの接合状態の有無によってネックストラップまたはハンドストラップのどちらにも容易にできるようになる。
（２）接合パーツが、先端が拡径された凸部を有する雄形接合パーツと、その拡径された先端を挿脱可能とする大きさの穿孔および挿脱不可能とする大きさの穿孔を連通した凹部を有する雌形接合パーツとで構成されることで、雄形接合パーツの凸部を雌形接合パーツの凹部に係合できるので、雄形接合パーツと雌形接合パーツを脱着自在に接合することが容易かつ確実にできるようになる。
（３）接合パーツが、ストラップ本体にスライド可能に取り付けられていることで、所望の位置に接合パーツを移動できるので、使い勝手が良くなる。
（４）ストラップ本体の一部を束ねる筒形をし、束ねたストラップ本体の一部を筒外に湾出してストラップ本体の長さを調整できる調整孔を有するアジャストパーツを備えることで、ストラップ（ネックストラップ、ハンドストラップいずれの場合も）の長さを自由に調整できる。
（５）アジャストパーツにあって湾出されるストラップ本体に摘みパーツを取り付けたことで、長さ調整を操作し易くなる。
【考案を実施するための最良の形態】
【０００８】
本考案の実施の形態を図面に基づいて説明する。
図１は、本考案のストラップのネックストラップとしての使用状態を示す説明図であり、左図は正面から見た正面図、右図は右側面から見た右側面図である。
ストラップ１０は、環状かつ紐状のストラップ本体１１に、雄形接合パーツ２０および雌形接合パーツ３０からなる接合パーツと、ストラップ本体１１の一部を束ねているアジャストパーツ４０とを備えている。
【０００９】
接合パーツについては、図３にも示しているが、雄形接合パーツ２０と雌形接合パーツ３０とのペアになっている。雄形接合パーツ２０は、円盤形のパーツ本体２１に先端２３が拡径された凸部２２を有する。また、パーツ本体２１には、雄形接合パーツ２０をストラップ本体１１にスライド可能に取り付けるため、取付孔２４を備える。
【００１０】
雌形接合パーツ３０は、中空円盤状のパーツ本体３１に、凸部２２の拡径された先端２３を挿脱可能とする大きさの穿孔（大穿孔）３３および挿脱不可能とする大きさの穿孔（小穿孔）３４を連通しひょうたん形に形成された凹部３２を有する。また、パーツ本体３１には、雌形接合パーツ３０をストラップ本体１１にスライド可能に取り付けるため、取付孔３５を備える。
【００１１】
なお、雄形接合パーツ２０または／および雌形接合パーツ３０には、携帯電話やデジタルカメラなどの携帯品を取り付けるための取付部を設けるとよい。図３では、雌形接合パーツ３０のパーツ本体３１に輪状の取付部３６を設けた。
【００１２】
図２は、ストラップ１０のハンドストラップとしての使用状態を示す説明図であるが（左図は正面から見た正面図、右図は右側面から見た右側面図）、ストラップ１０をハンドストラップとして使用するためには、前記した雄形接合パーツ２０と雌形接合パーツ３０を接合させる必要がある。接合方法は、まず、雄形接合パーツ２０の凸部２２を雌形接合パーツ３０の凹部３２の大穿孔３３へ挿入する。そして、凸部２２を凹部３２の小穿孔３４へスライドさせる。すると、小穿孔３４は凸部２２の先端２３よりも小径なので、凸部２２と凹部３２は確実に係合される。接合を解除するためには、これと逆の操作をすればよい。
【００１３】
図２に示すハンドストラップは、図１に示すネックストラップを半分に折り畳んだ状態にしたものであって、その折り畳み作業を前記した接合パーツを用いることで極めて容易に達成できる。
また、その接合パーツは、取付孔２４，３５を備えることで、ストラップ本体１１にスライド可能となっているため、ストラップ１０の使用状態に応じて最適な位置に移動できるので、操作性が向上する。
【００１４】
アジャストパーツ４０については、図４にも示しているが、ストラップ本体１１の一部を束ねる筒形をしている。そして、束ねたストラップ本体１１の一部を筒外に湾出してストラップ本体１１の長さを調整できる調整孔４１，４１を有する。図２に示すように、調整孔４１，４１からストラップ本体１１を湾出することで、ストラップ１０（ネックストラップおよびハンストラップ）を短くできる。なお、このとき、ストラップ本体１１を湾出し易いように、湾出されるストラップ本体部分に摘みパーツ４５を取り付けておくと良い。
【産業上の利用可能性】
【００１５】
本考案は、様々な携帯品を吊り下げるためのストラップとして、さらには、とくに携帯品を吊り下げていない場合でも、身に付けるアイテムとして使用できるものである。
【図面の簡単な説明】
【００１６】
【図１】ネックストラップとしての使用状態を示す説明図。
【図２】ハンドストラップとしての使用状態を示す説明図。
【図３】接合パーツについて説明した説明図。
【図４】アジャストパーツについて説明した説明図。
【符号の説明】
【００１７】
１０  ストラップ        １１  ストラップ本体
２０  雄形接合パーツ    ２１  パーツ本体    ２２  凸部    ２３  先端
２４  取付孔
３０  雌形接合パーツ    ３１  パーツ本体    ３２  凹部    ３３  大穿孔
３４  小穿孔            ３５  取付孔        ３６  取付部
４０  アジャストパーツ  ４５  摘みパーツ
【図１】
0003108501.tif 000003
【図２】
0003108501.tif 000004
【図３】
0003108501.tif 000005
【図４】
0003108501.tif 000006